(57)【要約】      （修正有）【課題】容易に組み立て可能で、工場出荷時は、分解状態でコンパクトにでき、一度に多くの数を輸送することができるゴミ収容体を提供する。【解決手段】組み立て式のゴミ収容体であって、前板部１及び後板部２は、左縦辺部及び右縦辺部に夫々長さ方向に沿ってボルト孔８を設けた帯板状係合片部７を設け、下横辺部に長さ方向に沿って左右両端部に差し込み係合孔１１を設けた帯板状底板支持片部９を設け、左側板部３及び前記右側板部４は、前縦辺部及び後縦辺部に夫々長さ方向に沿って側板側ボルト孔１３を設けた重なり係合片部１２を設け、下横辺部に長さ方向に沿って帯板状底板支持片部９を設け、前側下端部及び後側下端部に夫々前記差し込み係合孔１１に差し込み係止する突起状係止部１０を設けた構成とした。【選択図】図４
0003190832.tif 000002
【実用新案登録請求の範囲】
【請求項１】
前板部、後板部、左側板部、右側板部、底板部及び蓋部の六部材から成る組み立て式のゴミ収容体であって、前記前板部及び前記後板部は、夫々、方形状に形成し、左縦辺部及び右縦辺部に夫々長さ方向に沿って前記左側板部及び前記右側板部と係合する帯板状係合片部を内方に向けて突設するとともに、この帯板状係合片部の上部に固定ボルトを挿通するボルト孔を設け、下横辺部に長さ方向に沿って前記底板部を支持する帯板状底板支持片部を内方に向けて突設するとともに、この帯板状底板支持片部の左右両端部に前記側板部及び前記右側板部の夫々に設けた突起状係止部を差し込み係合する差し込み係合孔を設けた構成とし、前記左側板部及び前記右側板部は、夫々、前縦辺部及び後縦辺部に夫々長さ方向に沿って前記前板部及び前記後板部の前記帯板状係合片部と重なり係合する重なり係合片部を設けるとともに、この重なり係合片部の上部に組み立て時に前記ボルト孔と連通状態になる側板側ボルト孔を設け、下横辺部に長さ方向に沿って前記底板部を支持する帯板状底板支持片部を内方に向けて突設し、前側下端部及び後側下端部に夫々前記差し込み係合孔に差し込み係止する突起状係止部を設けた構成とし、前記前板部と前記後板部の夫々の差し込み係合孔に前記左側板部と前記右側板部の夫々の突起状係止部を差し込み係止するとともに、左側板部及び右側板部の各重なり係合片部を前板部及び後板部の各帯板状係合片部の内側面に重ね合わせ、この帯板状係合片部と重なり係合片部との重ね合わせにより連通状態となった前記ボルト孔と前記側板側ボルト孔とに固定ボルトを挿通しナットで締め付け固定して前記前板部と前記後板部と前記左側板部と前記右側板部とを連設して周面部を形成し、この周面部の上部開口部から前記底板部を挿入し、前記前板部、前記後板部、前記左側板部及び前記右側板部に設けた帯板状底板支持片部上に載置し、前記上部開口部に前記蓋部を開閉自在に設けた構成としたことを特徴とするゴミ収容体。
【請求項２】
前記前板部及び前記後板部は、夫々、Ｌ型アングル材で方形状の枠体を形成し、この枠体の開口部に金網材を張設した構成とし、左枠部及び右枠部のＬ型アングル材の一片を前記帯板状係合片部とし、下枠部のＬ型アングル材の一片を前記帯板状底板支持片部としたことを特徴とする請求項１記載のゴミ収容体。
【請求項３】
前記左側板部及び前記右側板部は、夫々、帯状板材で枠体を形成し、この枠体の開口部に金網材を張設するとともに、下枠部にＬ型アングル材を付設し、この付設したＬ型アングル材の一片を前記帯板状底板支持片部としたことを特徴とする請求項１，２のいずれか１項に記載のゴミ収容体。
【考案の詳細な説明】
【技術分野】
【０００１】
本考案は、ゴミ収集場所に設置し、家庭等から出されたゴミを回収業者が回収するまでの間、一時的に収容・保管するゴミ収容体に関するものである。
【背景技術】
【０００２】
生ゴミ等の一般家庭から排出されるゴミは、カラスや犬、猫等の野生動物に荒らされない様、地域毎、或いは集合住宅毎に所定場所に設置されたゴミ収容体に収容し、このゴミ収容体に収容されたゴミを回収業者が回収するシステムとなっている。
【０００３】
このゴミ収容体は、大きくて場所を取るため、一般的には、特許文献１に示すような折り畳み式のゴミ収容体が採用され、使用時に出して組み立て、ゴミが回収されたら、再び、折り畳んで収納するという運用が成されている。
【０００４】
しかしながら、この折り畳み式のゴミ収容体は、毎回、組み立てて所定場所に設置し、回収後折り畳んで収納場所に片付けなくてはならず、面倒な作業を要する。
【０００５】
更に、出し忘れなどがあると、ゴミが路上に放置されたり、また、しまい忘れてしまうと、通行の邪魔になったり、強風などで吹き飛ばされてしまう問題が生じることもある。
【０００６】
したがって、設置場所が広く、ゴミ収容体を常時設置していても邪魔にならないような場所では、このような折り畳み式のゴミ収容体でなく、常設型のゴミ収容体を採用するところも多い。
【先行技術文献】
【特許文献】
【０００７】
【特許文献１】特開平１１−３２２００１号公報
【考案の概要】
【考案が解決しようとする課題】
【０００８】
従来、この常設型のゴミ収容体は、組み立てが容易でないため、一般的には、工場にて組み立てて完成した状態で販売店や購入者に引き渡していた。そのため、輸送時は場所を取り、一度に多くの数のゴミ収容体を輸送することができず、輸送コストが掛かってしまい、製品コストを上げてしまうという問題があった。
【０００９】
本考案は、上述のような現状の問題に鑑み、常設型のゴミ収容体を購入者又は販売店が容易に組み立てることができる組み立て式のゴミ収容体とし、工場からの出荷時は、分解状態でコンパクトにまとめることができ、一度に多くの数を輸送することができる画期的なゴミ収容体を提供することを目的とする。
【課題を解決するための手段】
【００１０】
添付図面を参照して本考案の要旨を説明する。
【００１１】
前板部１、後板部２、左側板部３、右側板部４、底板部５及び蓋部６の六部材から成る組み立て式のゴミ収容体であって、前記前板部１及び前記後板部２は、夫々、方形状に形成し、左縦辺部及び右縦辺部に夫々長さ方向に沿って前記左側板部３及び前記右側板部４と係合する帯板状係合片部７を内方に向けて突設するとともに、この帯板状係合片部７の上部に固定ボルト14を挿通するボルト孔８を設け、下横辺部に長さ方向に沿って前記底板部５を支持する帯板状底板支持片部９を内方に向けて突設するとともに、この帯板状底板支持片部９の左右両端部に前記側板部３及び前記右側板部４の夫々に設けた突起状係止部10を差し込み係合する差し込み係合孔11を設けた構成とし、前記左側板部３及び前記右側板部４は、夫々、前縦辺部及び後縦辺部に夫々長さ方向に沿って前記前板部１及び前記後板部２の前記帯板状係合片部７と重なり係合する重なり係合片部12を設けるとともに、この重なり係合片部12の上部に組み立て時に前記ボルト孔８と連通状態になる側板側ボルト孔13を設け、下横辺部に長さ方向に沿って前記底板部５を支持する帯板状底板支持片部９を内方に向けて突設し、前側下端部及び後側下端部に夫々前記差し込み係合孔11に差し込み係止する突起状係止部10を設けた構成とし、前記前板部１と前記後板部２の夫々の差し込み係合孔11に前記左側板部３と前記右側板部４の夫々の突起状係止部10を差し込み係止するとともに、左側板部３及び右側板部４の各重なり係合片部12を前板部１及び後板部２の各帯板状係合片部７の内側面に重ね合わせ、この帯板状係合片部７と重なり係合片部12との重ね合わせにより連通状態となった前記ボルト孔８と前記側板側ボルト孔13とに固定ボルト14を挿通しナット15で締め付け固定して前記前板部１と前記後板部２と前記左側板部３と前記右側板部４とを連設して周面部を形成し、この周面部の上部開口部から前記底板部５を挿入し、前記前板部１、前記後板部２、前記左側板部３及び前記右側板部４に設けた帯板状底板支持片部９上に載置し、前記上部開口部に前記蓋部６を開閉自在に設けた構成としたことを特徴とするゴミ収容体に係るものである。
【００１２】
また、前記前板部１及び前記後板部２は、夫々、Ｌ型アングル材で方形状の枠体を形成し、この枠体の開口部に金網材を張設した構成とし、左枠部及び右枠部のＬ型アングル材の一片を前記帯板状係合片部７とし、下枠部のＬ型アングル材の一片を前記帯板状底板支持片部９としたことを特徴とする請求項１記載のゴミ収容体に係るものである。
【００１３】
また、前記左側板部３及び前記右側板部４は、夫々、帯状板材で枠体を形成し、この枠体の開口部に金網材を張設するとともに、下枠部にＬ型アングル材を付設し、この付設したＬ型アングル材の一片を前記帯板状底板支持片部９としたことを特徴とする請求項１，２のいずれか１項に記載のゴミ収容体に係るものである。
【考案の効果】
【００１４】
本考案は上述のように構成したから、工場からの出荷時の形態を、各部材を重ね合わせたコンパクトな形態にすることができ、これにより、輸送時に場所を取らず、一度に多くの数量のゴミ収容体を輸送することが可能となり、ゴミ収容体一個当たりの輸送コストを低減することができる。
【００１５】
しかも、本考案は、前板部、後板部、左側板部、右側板部を連設して周面部を形成する際は、下部側は突起状係止部と差し込み係合孔との係合係止による無連結固定で、上部側、即ち、前板部と左側板部との上部、前板部と右側板部との上部、後板部と左側板部との上部、後板部と右側板部との上部の計四か所を固定ボルト、ナットで連結固定するだけなので、連結固定作業が極めて少なく作業の手間が掛からず簡単に組み立てることができる極めて実用性に優れた画期的なゴミ収容体となる。
【図面の簡単な説明】
【００１６】
【図１】本実施例を示す説明斜視図である。
【図２】本実施例の組み立て手順を示す説明斜視図である。
【図３】本実施例の組み立て手順を示す説明斜視図である。
【図４】本実施例の組み立て手順を示す説明斜視図である。
【図５】本実施例の組み立て手順を示す説明斜視図である。
【考案を実施するための形態】
【００１７】
好適と考える本考案の実施形態を、図面に基づいて本考案の作用を示して簡単に説明する。
【００１８】
本考案は、販売店又は購入者が組み立てる組み立て式のゴミ収容体としたから、工場からの出荷時の形態を、各部材を重ね合わせたコンパクトな形態にすることができ、これにより、輸送時に場所を取らず、一度に多くの数量のゴミ収容体を輸送することが可能となり、ゴミ収容体一個当たりの輸送コストを低減することができることとなる。
【００１９】
また、本考案は、販売店又は購入者が組み立てられるように、簡易な構成で容易に組み立て可能な構成としており、具体的には、できるだけ固定ボルト14、ナット15等の連結具を用いた連結固定作業を省き、一人でも容易に組み立てることができる設計としている。
【００２０】
即ち、本考案は、組み立ての際、例えば、立設状態にした前板部１の左右の縦辺部に左側板部３、右側板部４を連設する際に、前板部１の帯板状底板支持片部９の左右両側に設けた差し込み係合孔11に左側板部３、右側板部４、夫々の前側下端部に設けた突起状係止部10を差し込み係止することで、固定ボルト14、ナット15等の連結具を用いずとも位置決め係止することができ、この差し込み係合孔11に突起状係止部10を差し込み係止した状態で、左側板部３、右側板部４の各重なり係合片部12を前板部１の帯板状係合片部７の内側面に重ね合わせ、この帯板状係合片部７と重なり係合片部12との重ね合わせにより連通状態となったボルト孔８と側板側ボルト孔13とに固定ボルト14を挿通しナット15で締め付け固定して前板部１に左側板部３と右側板部４とを連設し、後板部２も同様に、後板部２の帯板状底板支持片部９の左右両側に設けた差し込み係合孔11に左側板部３、右側板部４、夫々の後側下端部に設けた突起状係止部10を差し込み係止し、この差し込み係合孔11に突起状係止部10を差し込み係止した状態で、左側板部３、右側板部４の各重なり係合片部12を前板部１の帯板状係合片部７の内側面に重ね合わせ、この帯板状係合片部７と重なり係合片部12との重ね合わせにより連通状態となったボルト孔８と側板側ボルト孔13とに固定ボルト14を挿通しナット15で締め付け固定して後板部２に左側板部３と右側板部４とを連設することで周面部を形成することができる。
【００２１】
そして、この周面部の上部開口部から底板部５を挿入し、前板部１、後板部２、左側板部３及び右側板部４の下横辺部に設けた帯板状底板支持片部９上に載置することで、箱状の収容本体部を形成することができる。
【００２２】
そして、最後に、この収容本体部の上部開口部に蓋部６を左側板部３、右側板部４若しくは後板部２の上端部に例えば蝶番等を介して開閉自在に設けることで組み立てが完了する。
【００２３】
このように、本考案は、前板部１、後板部２、左側板部３、右側板部４を連設して周面部を形成する際は、下部側は突起状係止部10と差し込み係合孔11との係合係止による無連結固定で、上部側、即ち、前板部１と左側板部３との上部、前板部１と右側板部４との上部、後板部２と左側板部３との上部、後板部２と右側板部４との上部の計四か所を固定ボルト14、ナット15で連結固定するだけなので、連結固定作業が極めて少なく作業の手間が掛からず簡単に組み立てることができる。
【実施例】
【００２４】
本考案の具体的な実施例について図面に基づいて説明する。
【００２５】
本実施例は、ゴミ収集場所に設置し、家庭等から出されたゴミを回収業者が回収するまでの間、一時的に収容・保管する、図１に示すようなゴミ収容体であり、具体的には、前板部１、後板部２、左側板部３、右側板部４、底板部５及び蓋部６の六部材で構成され、工場出荷時は分解状態でコンパクトに梱包され、販売店又は購入者が組み立てる組み立て式のゴミ収容体である。
【００２６】
以下、本実施例のゴミ収容体を構成する各部について詳細に説明する。
【００２７】
本実施例の前板部１は、ゴミ収容体の正面板となる部材であり、方形状に形成し、左縦辺部及び右縦辺部に夫々長さ方向に沿って左側板部３及び右側板部４と係合する帯板状係合片部７を内方に向けて突設するとともに、この帯板状係合片部７の上部に固定ボルト14を挿通するボルト孔８を設け、下横辺部に長さ方向に沿って底板部５を支持する帯板状底板支持片部９を内方に向けて突設するとともに、この帯板状底板支持片部９の左右両端部に側板部３及び右側板部４の夫々に設けた突起状係止部10を差し込み係合する差し込み係合孔11を設けた構成としている。
【００２８】
具体的には、図２に示すように、四本のＬ型アングル材で方形状の枠体を形成し、この枠体の開口部に金網材を張設した構成とし、左側縦枠部及び右側縦枠部のＬ型アングル材の一片（本実施例では、側面側に位置する片）を前記帯板状係合片部７とし、下側横枠部のＬ型アングル材の一片（本実施例では、底面側に位置する片）を前記帯板状底板支持片部９としている。
【００２９】
また、本実施例の前板部１は、左側縦枠部及び右側縦枠部の下端部を下側横枠部よりも下方側に突出するように枠体を形成し、この下方側に突出した突出部に脚部16を設けた構成としている。
【００３０】
また、本実施例の後板部２は、ゴミ収容体の背面板となる部材であり、前述した前板部１と同様、方形状に形成し、左縦辺部及び右縦辺部に夫々長さ方向に沿って左側板部３及び右側板部４と係合する帯板状係合片部７を内方に向けて突設するとともに、この帯板状係合片部７の上部に固定ボルト14を挿通するボルト孔８を設け、下横辺部に長さ方向に沿って底板部５を支持する帯板状底板支持片部９を内方に向けて突設するとともに、この帯板状底板支持片部９の左右両端部に側板部３及び右側板部４の夫々に設けた突起状係止部10を差し込み係合する差し込み係合孔11を設けた構成としている。
【００３１】
具体的には、本実施例の後板部２は、図３に示すように、四本のＬ型アングル材で前板部１よりも高さ方向に長径の方形状の枠体を形成し、この枠体の開口部に金網材を張設した構成とし、左側縦枠部及び右側縦枠部のＬ型アングル材の一片（本実施例では、側面側に位置する片）を前記帯板状係合片部７とし、下側横枠部のＬ型アングル材の一片（本実施例では、底面側に位置する片）を前記帯板状底板支持片部９とし、更に、左側縦枠部及び右側縦枠部の下端部を下側横枠部よりも下方側に突出するように枠体を形成し、この下方側に突出した突出部に脚部16を設けた構成としている。
【００３２】
また、本実施例の左側板部３及び右側板部４は、対称的構造を成し、夫々、ゴミ収容体の左側面板及び右側面板となる部材であり、前縦辺部及び後縦辺部に夫々長さ方向に沿って前板部１及び後板部２の帯板状係合片部７と重なり係合する重なり係合片部12を設けるとともに、この重なり係合片部12の上部に組み立て時に前板部１及び後板部２のボルト孔８と連通状態になる側板側ボルト孔13を設け、下横辺部に長さ方向に沿って底板部５を支持する帯板状底板支持片部９を内方に向けて突設し、前側下端部及び後側下端部に夫々前板部１及び後板部２の差し込み係合孔11に差し込み係止するピン状の突起状係止部10を設けた構成としている。
【００３３】
具体的には、図２に示すように、帯状板材で枠体を形成し、この枠体の開口部に金網材を張設するとともに、上下の横枠部の夫々にＬ型アングル材を付設し、下横枠部に付設したＬ型アングル材の一片を帯板状底板支持片部９とし、上横枠部に付設したＬ型アングルの一片を上縁片部17とし、この上縁片部17に取手18を設けた構成としている。
【００３４】
尚、本実施例の取手18は、上部側を外方に向けて反り形状に形成した構成として、蓋部６を開いた際、蓋部６がこの取手18に当接することで開き過ぎを抑制し、直立状態よりも稍開いた状態（稍外側に傾倒した姿勢）を保持するように構成している。
【００３５】
また、本実施例の左側板部３及び右側板部４は、前縦枠部よりも後縦枠部の長さを長くし、これらの上端部間に架設する上横辺部が前下がり傾斜状態に配設された方形枠状に形成した構成としている。
【００３６】
即ち、本実施例は、前板部１の高さを後板部２の高さよりも低くするとともに、左側板部３、右側板部４の上横枠部を前下がり傾斜状に架設し、ゴミ収容体の正面側高さを低くして、ゴミ投入口となる上部開口部を前下がり傾斜状態に開口するように構成し、ゴミを投入し易い構成としている。
【００３７】
また、本実施例の底板部５は、図４に示すように、帯状板材で方形状の枠体を形成すると共に、この枠体の左右幅方向中央、即ち、前枠部と後枠部の長さ方向中央部間に補強板19を架設し、この補強板19が設けられた枠体開口部に金網材を張設した構成としている。
【００３８】
また、本実施例の蓋部６は、図５に示すように、二枚の蓋板部20から成る構成とし、取り付けた際、図１に示すように、左右方向に両開きとなる構成としている。
【００３９】
具体的には、蓋板部20は、金属板材（本実施例では、ステンレス鋼板を採用）を方形状に形成し、外縁部に蝶番21を設け、上面内側寄りに開閉用取手部22を設けた構成とし、この蝶番21を左側板部３（又は右側板部４）の上縁片部17に螺着し、左側板部３（又は右側板部４）に対して起伏回動自在に設けて開閉自在に設けた構成としている。
【００４０】
次に、本実施例の組み立て手順について説明する。
【００４１】
先ず、図２に示すように、前板部１を立設状態にし、左側板部３及び右側板部４をこの前板部１に取り付ける。
【００４２】
具体的には、左側板部３の前側下端部に設けた突起状係止部10を前板部１の左端部に設けた差し込み係合孔11に差し込み、次いで、前板部１の左縦枠部の帯板状係合片部７の内側面に左側板部３の重なり係合片部12を重ね合わせ、連通状態となったボルト孔８と側板側ボルト孔13とに固定ボルト14を挿通しナット15を螺着し締め付け固定する。
【００４３】
次いで、右側板部４も同様の手順で取り付ける。尚、左側板部３、右側板部４の取り付け順はどちらが先でも構わない。
【００４４】
次いで、図３に示すように、この前板部１に連設した左側板部３と右側板部４との間に後板部２を取り付ける。
【００４５】
具体的には、左側板部３と右側板部４の後側下端部に設けた突起状係止部10を後板部２の左右両端部に設けた差し込み係合孔11に夫々差し込み、次いで、後板部２の左縦枠部の帯板状係合片部７の内側面に左側板部３の重なり係合片部12を重ね合わせ、右縦枠部の帯板状係合片部７の内側面に右側板部４の重なり係合片部12を重ね合わせ、連通状態となったボルト孔８と側板側ボルト孔13とに夫々固定ボルト14を挿通しナット15を螺着し締め付け固定する。
【００４６】
この後板部２の取り付けによりゴミ収容体の周面部が形成される。
【００４７】
尚、本実施例では、前板部１に左側板部３と右側板部４を取り付けた後で後板部２を取り付けたが、逆に後板部２に左側板部３と右側板部４を取り付けてから前板部１を取り付ける手順でも構わない。
【００４８】
次いで、図４に示すように、この周面部の下部開口部に底板部５を設け、上部開口部に補強及び蓋部６の支持を目的とした上部補強板23を取り付ける。
【００４９】
具体的には、底板部５は、周面部の上部開口部から挿入し、前板部１、後板部２、左側板部３、右側板部４の夫々の下横枠部に設けた帯板状底板支持片部９上に載置する。
【００５０】
尚、底板部５は帯板状底板支持片部９上に載置するだけでも良いが、この帯板状底板支持片部９に固定することで、ゴミ収容体の強度が向上するので、本実施例では、この底板部５を帯板状底板支持片部９にボルト、ナットを用いて固定している。
【００５１】
また、上部補強板23は、周面部の上部開口部の中央部、即ち前板部１の上横枠部の中央部と後板部２の上横枠部の中央部とを結ぶようにしてこの前板部１と後板部２との間に架設し、両端部をボルト、ナットを用いて夫々前板部１の上横枠部、後板部２の上横枠部に固定する。
【００５２】
この周面部に底板部５と上部補強板23を取り付けることによりゴミ収容体の収容本体部が形成される。
【００５３】
そして、最後に、図５に示すように、この収容本体部の上部開口部に蓋部６を取り付ける。
【００５４】
具体的には、蓋部６を構成する各蓋板部20に設けた蝶番21を夫々左側板部３及び右側板部４の上縁片部17に螺着し、組み立て完了となる。
【００５５】
このように、本実施例のゴミ収容体は、前板部１、後板部２、左側板部３、右側板部４を連設して周面部を形成する際は、下部側は突起状係止部10と差し込み係合孔11との係合係止による無連結固定で、上部側、即ち、前板部１と左側板部３との上部、前板部１と右側板部４との上部、後板部２と左側板部３との上部、後板部２と右側板部４との上部の計四か所を固定ボルト14、ナット15で連結固定するだけなので、連結固定作業が極めて少なく作業の手間が掛からず簡単に組み立てることができる。
【００５６】
また、このように購入者が簡単に組み立てられることで、工場からの出荷形態を組み立て式として分解状態で出荷することができるようになるので、出荷時の形態がコンパクトになり輸送時に嵩張らず、一度の輸送で多くのゴミ収容体を輸送することができるようになり、従って、一個当たりの輸送コストが低減し、全体的な製造コストも低減することができる。
【００５７】
尚、本考案は、本実施例に限られるものではなく、各構成要件の具体的構成は適宜設計し得るものである。
【符号の説明】
【００５８】
１  前板部
２  後板部
３  左側板部
４  右側板部
５  底板部
６  蓋部
７  帯板状係合片部
８  ボルト孔
９  帯板状底板支持片部
10  突起状係止部
11  差し込み係合孔
12  重なり係合片部
13  側板側ボルト孔
14  固定ボルト
15  ナット
【図１】
0003190832.tif 000003
【図２】
0003190832.tif 000004
【図３】
0003190832.tif 000005
【図４】
0003190832.tif 000006
【図５】
0003190832.tif 000007